(57)【要約】      （修正有）【課題】光回折によって流体分散剤内に懸濁している粒子の特性を評価する方法において、希釈媒体内の不均質な部分からの散乱による影響を低減する。【解決手段】散乱光１０６の輝度を測定するように配置されている検出素子１０７から測定データ１０８を取得し、分散剤１０４内の不均質な部分により散乱された光に起因する測定寄与を識別し、測定データ１０８を処理して、分散剤１０４の不均質な部分により散乱された光に起因する測定寄与を除去または分離し、処理済の測定値から粒径分布を計算する。検出素子は複数の散乱角において散乱光の輝度を測定するように配置されており、複数の散乱角は照射軸を中心とした複数の角度にわたって分布している。分散剤内の不均質な部分により散乱された光に起因する測定寄与の識別は、照射軸を中心として非対称である測定散乱光を識別する。【選択図】図１
2018059905.tif 000002
【特許請求の範囲】
【請求項１】
光回折によって流体分散剤内に懸濁している粒子の特性を評価する方法であって、
散乱光の輝度を測定するように配置されている検出素子から測定データを取得すること、
前記分散剤内の不均質な部分により散乱された光に起因する測定寄与を識別すること、
前記測定データを処理して、前記分散剤の不均質な部分により散乱された光に起因する前記測定寄与を除去または分離すること、
処理済の測定値から粒径分布を計算すること、を含み、
前記検出素子は前記測定データを取得する複数の検出素子のうちの１つであり、
前記検出素子は複数の散乱角において散乱光の輝度を測定するように配置されており、前記複数の散乱角は照射軸を中心とした複数の角度にわたって分布していて、
前記分散剤内の不均質な部分により散乱された光に起因する測定寄与の識別は、前記照射軸を中心として非対称である測定散乱光を識別する、方法。
【請求項２】
前記複数の散乱角のうちの少なくともいくつかは、散乱角が大きくなるに伴って、前記照射軸を中心とした第１及び第２半径方向位置の間に交互に配置されている、請求項１記載の方法。
【請求項３】
散乱軸を中心とした前記第１及び第２半径方向位置は、前記照射軸を中心として少なくとも９０度離間している、請求項２記載の方法。
【請求項４】
前記検出素子のうちの少なくともいくつかは、それぞれの質量中心が散乱角の対数配列になっている状態で配置されている、請求項１記載の方法。
【請求項５】
測定値の取得は、前記検出素子または複数の前記検出素子から散乱光の輝度の時間履歴を取得する、請求項１から４のいずれか１項に記載の方法。
【請求項６】
前記分散剤内の不均質な部分により散乱された光に起因する測定寄与の識別は、前記複数の散乱角の各々に対する前記測定値内のピークを識別する、請求項５記載の方法。
【請求項７】
ピークの識別は、測定データを同じ測定データから取得した平滑化されたデータと比較する、請求項６記載の方法。
【請求項８】
前記平滑化されたデータは、異なる時間幅を有する複数の移動平均から取得した移動平均を備えている、請求項７記載の方法。
【請求項９】
前記ピークを、粒子から散乱している光から生じた粒子ピークとして、または分散剤の不均質な部分からの散乱から生じた擬似ピークとして分類する、請求項６から８のいずれか１項に記載の方法。
【請求項１０】
隣接する散乱角を有するｎ個の検出器の連続する範囲にわたって時間ｔｗの範囲内に対応するピークが存在している場合にピークを粒子ピークとして分類する方法であって、前記ｎ個の検出器のうちの少なくともいくつかは前記照射軸を中心とした角距離を有している、請求項９記載の方法。
【請求項１１】
さらに、回折実験を行って前記測定データを取得する、請求項１から１０のいずれか１項に記載の方法。
【請求項１２】
請求項１から１１のいずれか１項に記載の方法を行うように構成されているプロセッサまたは機器。
【請求項１３】
請求項１から１１のいずれか１項に記載の方法を行うようにプロセッサまたは機器を構成する命令を備えている、機械にて読み取り可能な非一時的記憶媒体。
【発明の詳細な説明】
【発明の詳細な説明】
【０００１】
本発明は粒子特性評価機器及び粒子特性評価方法に関する。
回折を用いた粒子特性評価機器は、粒子から散乱した光を測定することによって機能している。散乱パターンと粒径分布の関係の数学的記述（またはモデル）を用いて、粒径分布を推測している。数学的記述には、算出パラメータとして、粒子と、粒子が懸濁されている媒体との間の屈折率比が必要である。測定された光散乱データをモデルと比較することにより、粒径分布（ｐａｒｔｉｃｌｅ  ｓｉｚｅ  ｄｉｓｔｒｉｂｕｔｉｏｎ：ＰＳＤ）の計算を行う場合もある。通常用いられる理論は、媒体の屈折率は均質かつ静的であると仮定している。測定中において媒体の屈折率が均質かつ静的ではない場合、ＰＳＤの計算値には擬似的な粒径が含まれてもよい。
【０００２】
回折を用いた測定（静的光散乱等）及び動的光散乱（散乱の経時特性に基づく）は両方とも、希釈媒体内の不均質な部分からの散乱による影響を受ける。
懸濁媒体（または分散剤）の屈折率が不均質な場合があることには、いくつか理由がある。最も一般的な理由は分散剤内での熱のばらつきであるが、他の原因として圧力のばらつき、混入物質、試料溶解等も挙げることができる。このような類の不均質性によって生じる散乱パターンは本質的にほぼランダムであるので、これらを測定データから除去するのは難しい。
【０００３】
特開２０１５−１４１０２５号は、等方性背景光を除去することで、蛍光を除去するフィルタを用いずに散乱測定を行うことができる装置を開示している。米国特許第７４７１３９３号は、粒子を計数し、選定された粒径範囲に分類することによって、粒子試料の粒径分布を測定する機器を開示している。
【０００４】
従来から、熱や圧力のばらつきの影響は、恒温環境内に試料を保持している間にこのようなばらつきが一様になるまで待つことによって極力抑えている。しかし、これにかかる時間があまりにも長すぎる状況や、いつまでも安定しない状況も存在し得る。物質混入や試料溶解の場合には、既知の一般的な解決法は存在しない。
【０００５】
本発明の第１の態様によれば、光回折によって流体分散剤内に懸濁している粒子の特性を評価する方法であって、散乱光の輝度を測定するように配置されている検出素子から測定データを取得し、分散剤内の不均質な部分により散乱された光に起因する測定寄与を識別し、測定データを処理して、分散剤の不均質な部分により散乱された光に起因する測定寄与を除去または分離し、処理済の測定値から粒径分布を計算する方法が提供されている。
【０００６】
検出素子は測定データを取得する複数の検出素子のうちの１つであってもよい。
検出素子は複数の散乱角において散乱光の輝度を測定するように配置されていてもよく、複数の散乱角は照射軸を中心とした複数の角度にわたって分布していてもよい。
【０００７】
粒径分布の計算は、様々な角度での光の回折パターンに基づいて計算してもよく（例えば静的光散乱）、および／または、測定データに対して自己相関を行ってもよい（例えば動的光散乱）。
【０００８】
分散剤内の不均質な部分により散乱された光に起因する測定寄与を識別することは、照射軸を中心として非対称である測定散乱光を識別することを含んでもよい。
照射軸を中心として非対称である測定散乱光を識別することは、散乱光が粒子からの散乱に起因しないことを示唆するのに十分なほど照射軸を中心として非対称であるかどうかを識別することをふくんでもよい。照射軸を中心としてわずかに非対称であることは、光が分散剤の不均質性から散乱されていることを意味していない可能性がある。照射軸を中心として非対称である測定散乱光を識別することは、粒子からの散乱に起因することが予想されると考えられるものよりも非対称であるデータを識別する任意のデータ処理を含んでもよい。
【０００９】
いくつかの実施形態において、本方法は、測定データを供給する測定を行うことを実際に含んでいる必要はない。測定データを取得することは、記憶媒体（例えば不揮発性メモリ、フラッシュメモリドライブ、ハードディスク等）から測定データを読み出すこと、または、通信ネットワーク上で測定データを受信することを含んでもよい。
【００１０】
複数の散乱角のうちの少なくともいくつかは、散乱角が大きくなるに伴って、照射軸を中心とした第１及び第２半径方向位置の間に交互に配置されていてもよい。
検出素子は、照射軸を中心として非対称であることに対して感度を有していなければならない。照射軸を中心とした第１及び第２半径方向位置は、照射軸を中心として少なくとも９０度離間していてもよい。
【００１１】
照射軸方向に見ると、各検出素子は、照射軸から引き出されて検出素子の質量中心を通る半径上にあるとみなされてもよい。検出素子の照射軸方向での位置は、照射軸を中心とした角距離の角度の決定に関連はしないので、検出器のそれぞれの半径方向位置は、任意の位置における照射軸に垂直な仮想平面上への投影を参照して検討することができる。したがって、それぞれの検出素子の間の角距離の角度は、仮想平面内でのそれぞれの半径方向位置の間の角度である。
【００１２】
複数の散乱角のうちの少なくともいくつかは、散乱角の対数配列になっていてもよい。検出素子のうちの少なくともいくつかは、それぞれの質量中心が散乱角の対数配列になっている状態で配置されていてもよい。
【００１３】
測定値を取得することは、（例えば複数の散乱角において）検出素子または複数の検出素子から散乱光の輝度の時間履歴を取得することを含んでもよい。
分散剤内の不均質な部分により散乱された光に起因する測定寄与を識別することは、複数の散乱角の各々に対する測定値内のピークを識別することを含んでもよい。
【００１４】
ピークを識別することは、測定データを同じ測定データから取得した平滑化されたデータ（移動平均またはフィルタリングされたデータ）と比較することを含んでもよい。
平滑化されたデータが移動平均を備えている場合、移動平均は異なる時間幅を有する複数の移動平均から取得されてもよい。
【００１５】
本方法は、ピークを、粒子からの散乱から生じた粒子ピークとして、または分散剤の不均質な部分からの散乱から生じた擬似ピークとして分類してもよい。
時間的な特徴と対称性の特徴の組み合わせを用いて、擬似ピークを識別・排除することができる。
【００１６】
本方法は、隣接する散乱角を有するｎ個の検出器の連続する範囲にわたって時間ｔｗの範囲内に対応するピークが存在している場合にピークを粒子ピークとして分類してもよく、ｎ個の検出器のうちの少なくともいくつかは照射軸を中心とした角距離を有していてもよい。
【００１７】
データを処理することは、分散剤の不均質な部分により散乱された光に起因する測定寄与が存在するときの時刻で得られた測定データを廃棄することを含んでもよい。廃棄されるデータは、分散剤の不均質な部分により散乱された光に起因する測定寄与を含む散乱角のみを備えていてもよい。
【００１８】
データの処理は、移動平均を有する擬似ピークを置き換えることによって、擬似ピークを除去してもよい。
本方法はさらに、測定データを取得するために回折実験（試料を照射して散乱光を検出することを含む）を行うことを含んでもよい。
【００１９】
第２の態様によれば、第１の態様の方法を行うように構成されているプロセッサまたは機器が提供されている。
第３の態様によれば、第１の態様に係る方法を行うようにプロセッサまたは機器を構成する命令を備えている機械にて読み取り可能な非一時的記憶媒体が提供されている。
【００２０】
各態様及び全態様の特徴を、他の各態様及び全態様の特徴と組み合わせてもよい。
純粋に一例として、本発明の実施形態を添付図面を参照して説明する。
【図面の簡単な説明】
【００２１】
【図１】図１は、ある実施形態に従って構成されている粒子特性評価機器の概略図である。
【図２】図２は検出アレイの概略図である。
【図３】図３は、照射軸を中心とした検出素子間の角距離を示した図である。
【図４】図４は、測定データにおける粒子ピークの識別を図示したものである。
【図５】図５は、測定データにおける擬似ピークの識別を図示したものである。
【発明を実施するための形態】
【００２２】
図１を参照すると、光源１０１と、試料セル１０３と、検出器１０７と、プロセッサ１１０とを備えているレーザ回折粒子特性評価機器１００が図示されている。光源１０１はレーザ光源であってもよく、照射軸１０２の方向に、試料セル１０３内部にある試料を照射するように動作可能である。試料は、流体分散剤１０４（例えば水）内に懸濁している粒子１０５を含有している。
【００２３】
照射する光ビームと粒子１０５との相互関係の結果、散乱／回折が起こり、散乱光１０６が生じる。検出器１０７は、散乱光を検出するように配置されている。（照射軸１０２に対して）様々な散乱角で散乱した光を受光するために、複数の検出素子が用意され、配置されている。検出素子１０７もまた、照射軸１０２を中心として様々な角度で分配されている。検出器１０７は、検出素子からなるアレイ（例えば焦点面アレイ検出器）を備えていてもよく、また、複数の個別の（例えば間隔をあけて配置された）検出素子を備えていてもよい。
【００２４】
粒子１０５から検出器１０７上に投影された散乱パターンは、偏光効果がほとんど見られない粒径では照射軸１０２を中心として対称である。実際には、通常これは約１０μｍ以上の粒径の場合、照射軸を中心として散乱パターンが対象であることを意味する。
【００２５】
図２を参照すると、複数の検出素子１０７ａ〜１０７ｆ（分かりやすくするために大きめの要素のみを標示している）を備えている検出器の例である焦点面アレイ１０７が示されている。各検出素子は、散乱角が大きくなるに伴って、照射軸１０２を中心とした第１角と第２角の間に交互に配置されている。図２の例では、第１角と第２角は照射軸１０２を中心として１８０度離れている（つまり照射軸１０２の両側に配置されている）。本例において、もっとも高角度な散乱角を有する検出素子１０７ａは光軸の上側、次の素子１０７ｂは下側、その次の素子１０７ｃは上側、等々にある。本例における検出素子は環状であり、照射軸１０２を中心とした少なくとも１００度、しかし１８０度未満の角度に跨っている。離接する散乱角に関連する検出素子同士を空間的に分離することによって、電気的なクロストークが低減し、測定データ１０８の全体としての忠実度が向上する。
【００２６】
検出素子１０７ａ〜１０７ｆは、対数配列に一致する散乱角に調心されていてもよく、連続する検出素子は、散乱角が広がるにつれて、幅（散乱角内での範囲）が対数的に増大していってもよい。照射軸１０２の近くでは、散乱角が小さい範囲では、多くの検出器が狭い間隔で存在してもよく、散乱角がより大きい範囲では、より大きな検出器がより少ない数で存在していてもよい。このような配置は、粒子が大きめであると低角度の散乱角である輝度が高めの散乱光が生じ、粒子が小さめであると等方性がより強くなる（つまり高角度の散乱角が含まれる）輝度が低減した散乱光が生じるので、効果的であり得る。
【００２７】
検出器１０７からの測定データは散乱角の順序で配列されていてもよく、粒子がレーザ光を横切る際に得られる散乱エネルギー分布が連続的で滑らかになる。時間及び散乱角に対する輝度を使用して、粒子が照射光を横切る際に、粒子からの散乱ピークの立体視覚化を行ってもよい。検出器が交互に配置されているにもかかわらず、このような散乱ピークは照射軸１０２を中心とした対称散乱によって滑らかである。一方、分散剤の不均質性に起因する散乱は、照射軸を中心とした隣接する散乱角に対する検出素子同士が離隔しており、照射軸を中心とした散乱が非対称であるために、散乱角に対して滑らかではないピークを生じさせる。
【００２８】
図２の検出器が散乱光パターン内の非対称性を検出するのに特に好適であってもよいが、照射軸を中心とした非対称性を検出可能であるいかなる検出素子配置（例えば画素素子からなる二次元アレイ）もまた好適である
図３は、第１検出素子１０７ａと第２検出素子１０７ｂとに関連する、照射軸１０２を中心とした角距離５０の測定を図示したものである。角距離５０は、照射軸１０２と第１検出素子１０７ａの質量中心との間にある第１ベクトルと、照射軸１０２と第２検出素子１０７ｂの質量中心との間にある第２ベクトルとの間の角度を参照して決定される。第１検出素子１０７ａと第２検出素子１０７ｂは、照射軸方向において必ず同じ位置とは限らない。つまり、両ベクトルが照射軸方向においてずれている場合、その角度は、照射軸に対して垂直な仮想平面上への両ベクトルの投影を参照して決定することができる。
【００２９】
図１に戻り、検出器１０７は、散乱光１０６を検出し、測定データ１０８を出力するように動作可能である。測定データ１０８からは各検出素子での散乱光の輝度の時間履歴が得られてもよい。測定データ１０８はプロセッサ１１０に提供される。
【００３０】
プロセッサ１１０は、メモリ内にロードされ得る命令を実行する。制御演算デバイス１１０は、任意の適切な数および種類のプロセッサまたは他のデバイスを、任意の適切な構成で有していてもよい。制御演算デバイス１１０の種類の例としては、マイクロプロセッサ、マイクロコントローラ、デジタル信号処理プロセッサ、フィールドプログラマブルゲートアレイ、特定用途向け集積回路、及びディスクリート回路が挙げられる。
【００３１】
メモリは、情報の（データ、プログラムコード、及び／または他の適切な情報等の一時的な、または恒久的な）格納や、検索の促進が可能な任意の構造（複数の構造）の代表例である。メモリとは、ランダムアクセスメモリ、読み出し専用メモリ、ハードディスク・ドライブ、フラッシュメモリ、光ディスク、もしくは他の任意の揮発性記憶装置または不揮発性記憶装置を表していてもよい。
【００３２】
プロセッサ１１０は、照射軸を中心として非等方性である測定散乱光を識別することによって、分散剤１０４内の不均質な部分によって散乱された光から生じた測定寄与を識別し、測定データ１０８を処理してこの測定寄与を除去するように構成されている。プロセッサ１１０は次に、処理済の測定データからＰＳＤを計算する。
【００３３】
本例において、プロセッサ１１０は、測定データ１０８内のピークを識別し（１２１）、次に各ピークに種別、つまり、粒子から散乱された光から生じた粒子ピーク、または、分散剤の不均質性からの散乱から生じた擬似ピークを割り当てる（１２２）ように構成されている。プロセッサ１１０は、擬似ピークを低減するように測定データ１０８を処理（１２３）した後、処理済の測定データからＰＳＤを計算する（１２４）。
【００３４】
時間分解データ１０８内のピークは、各検出素子のデータを、その検出素子のデータ移動平均と比較することによって識別してもよい。
時刻ｔでの移動平均μ（ｔ）は、
【００３５】
【数１】
2018059905.tif 000003
として計算してもよい。ここで、Δｔは積分を計算する時間窓の長さであり、Ｉｊ（ｔ）は検出素子ｊ上での輝度である。
【００３６】
時刻ｔでの標準偏差σｊ（ｔ）は、
【００３７】
【数２】
2018059905.tif 000004
として計算してもよい。ここで、Δｔはμｊ（ｔ）の計算に使用したものと同じ時間窓でなければならない。
【００３８】
移動平均値は、正規化差分値Δｊ（ｔ）
【００３９】
【数３】
2018059905.tif 000005
を用いて未加工データと比較してもよく、判定値Ｃと比較してもよい。あるいは、ＺスコアΔ′ｊ（ｔ）
【００４０】
【数４】
2018059905.tif 000006
を用いて移動平均を未加工データと比較することもできる。Δｊ（ｔ）＞ＣまたはΔ′ｊ（ｔ）＞Ｃである場合は、ｔからｔ＋Δｔの範囲における最大点は、粒子か、または懸濁媒体の屈折率の不均質性のどちらかによって生じた、データ内のピークである。
【００４１】
パラメータΔｔは、未加工測定データ内のピークの持続時間に対する本方法の検出感度を定義しており、分散剤の粘度及び粒子１０５と分散剤１０５との間の流体力学的結合に依存していてもよい。ピークがΔｔよりも長い持続時間を有する場合には、ピークを検出することはない。動く速度が遅い粒子から生じるピークの検出に失敗するのを防ぐために、時間窓の長さが異なる数個の移動平均を用いてもよい。ピーク識別速度を上げるために、各移動平均を並行して計算してもよい。
【００４２】
移動平均は、比較Δｊ（ｔ）を計算できるようにして、より小さな変動を平滑化する。一般に、任意の平滑化アルゴリズムを使用してもよい。例えば、使用される可能性のある別の簡素な平滑化方法としては指数平滑法があり、その最も簡素な形は、
【００４３】
【数５】
2018059905.tif 000007
であると考えられる。ここで、ｓｊ（ｔ）は検出素子ｊでの平滑化されたデータ、０＜α＜１は平滑化因子、そしてδｔは検出素子の時間ステップである。Δｊ（ｔ）で定義された比較では、関数μｊ（ｔ）から関数ｓｊ（ｔ）に置き換わると考えられる。平滑化関数の別の例としては、自己回帰移動平均や自己回帰和分移動平均が挙げられる。
【００４４】
次に、識別されたピークを、粒子から散乱している光による粒子ピークか、分散剤の不均質性（屈折率のばらつきを招く）により散乱している光から生じた擬似ピークのどちらかとして割り当てる。粒子により散乱している光は、複数の検出素子にわたって広がるのに十分なほど広い角度範囲で発生し、通例では、検出素子の（散乱角が広がっていく点において）連続する範囲の間で検出されるのに十分なほど、検出器１０７の中心点に対して対称である。
【００４５】
これは、粒子ピークの特性評価を行う１つの方法は、現状はピークの原因を粒子から散乱している光にあるとすることができる場合に、ｎ個の検出器（ｎ＞１）にわたってｔからｔ＋Δｔの範囲内でのピークについて調べることであることを意味している。これが事実とは異なる場合、ピークは屈折率の不均質な部分による擬似ピークとして分類される。
【００４６】
ピークの持続時間は、その位置と同様に決定されてもよい。この追加情報があれば、データから擬似ピークを除去可能であり、またデータを再度１つに合わせることが可能である。他の擬似ピーク識別方法は、上述のように、粒子が存在していない場合にバックグラウンド測定段階においてピークを検出することであると考えられる。これらのピークは（粒子が存在していないので）全て擬似ピークである。擬似ピークを統計的に分析することによって、擬似ピークの典型的な持続時間を判定することが可能であり、これを測定中に識別されたピークと比較することが可能である。擬似ピークの特徴と合致するピークは、分散剤の屈折率が不均質な部分によるものとして分類することができる。
【００４７】
いくつかの実施形態では、測定データ１０８を処理することによって、分散剤の不均質な部分から散乱している光に起因する測定寄与を除去してもよい。データを除去する１つの方法は、検出素子からの、擬似ピークに相当する測定データを除外することである。
【００４８】
データ内のピークを識別する代替案は、粒子がほとんど存在しない（及び同一のまたは代表的な分散剤を有する）試料からの散乱データに対して周波数解析を行うことである。周波数解析に基づいてフィルタを生成し、分散剤の不均質な部分に起因する検出素子からの変動を除去してもよい（データが得られたときに、または後処理動作として）。
【００４９】
いくつかの実施形態では、非対称性と経時特性とを組み合わせて用いて、分散剤の不均質な部分に起因する散乱寄与を除去または分離してもよい。例えば、データからの出力を（ある特定の経時特性を有するデータを除去するために）フィルタリングし、次に、非対称な散乱を識別するように処理してもよい。あるいは、時間的な基準と対称性の基準の組み合わせに基づいて擬似ピークを識別してもよい。いくつかの実施形態では、ピークを擬似ピークとして排除するためには、所定の経時特性と非対称散乱の両方が必要とされてもよい。
【００５０】
図４は、ある粒子からの散乱測定データの例を図示している。グラフ２０１〜２０６はそれぞれ、散乱角の範囲にわたる６つの検出素子からなるシーケンスからの測定データを示している。これら６つの検出器のうちの少なくともいくつかが、照射軸を中心とした半径方向の位置において、他の検出器の少なくともいくつかとは異なる位置に配置されている。特に、本例では、奇数が付されているグラフ２０１，２０３，２０５が得られた検出器は、偶数が付されているグラフ２０２，２０４，２０６が得られた検出器とは、照射軸１０２を中心とした反対側にある。
【００５１】
各グラフ２０１〜２０６は未加工測定データ２１１と移動平均２１２を含んでいる。第１グラフにおいて、しきい値２３１を超えた未加工データ２１１と移動平均との差によって、ピーク２２０が検出される。ピーク２２０は最大値２３２を有している。最大値付近で、下限２３３と上限２３４を有する時間窓ｔｗを計算してもよい。他のグラフ２０２〜２０６の各々において、この時間窓の範囲内でピークが検出されている。したがって、これらのグラフの各々でのピーク２２０は、粒子から散乱している光に起因する粒子ピークとして分類できる。
【００５２】
他の基準を用いて対応するピークを探索してもよい。例えば、時間窓ｔｗは、グラフ２０１内でしきい値を上回った瞬間から始まり、しきい値を上回らなくなった瞬間まで続き得る。ピークが粒子ピークであると立証するために確認すべき隣接検出器の数は、任意の適切な数であってもよく（例えば２，３，４，５，１０等）、本例では６である。
【００５３】
図５は、分散剤の不均質性からの散乱測定データの例を図示している。第１グラフにおいてピーク２２０が識別されているが、第２グラフ２０２には対応するピークは存在しておらず、また、他のグラフ２０３〜２０６のいずれも同様である。したがって、ピーク２２０は擬似ピークとして分類される。例えば擬似ピークの持続時間のデータとして移動平均値を用いることにより測定データを処理することによって、擬似ピークを排除してもよい。
【００５４】
測定データ１０８内のピークをその源（擬似なのか粒子なのか）に基づいて分類できると、いくつかの応用例が可能になるが、その中で最も重要なのは粒子に関連する散乱データを隔離することである。このようにする際には、もはや粒子分粒機器の使用者に擬似サイズを報告しない。一般に信号対雑音比も改善するので、ＰＳＤの精度が向上する。
【００５５】
上述の方法においてデータを分離できると、他の応用例がいくつか可能になる。これには、混入物質の有無と種類について調べた後、適切な洗浄処置を適用して、混入物質に起因する信号をアルゴリズムによる手段によって除去または低減する「スマート洗浄（ｓｍａｒｔ  ｃｌｅａｎ）」の用途が挙げられる。データから雑音源を除去できるので、必要とされる試料の量を減らす「試料サイズ縮小」モードも可能になる。また、分散剤内の気泡の検出は、配置可能であり、脱気処置を作動させることができる。
【００５６】
別の実施可能な応用例としては、測定開始前のみではなく、試料測定中にバックグラウンドをモニタリングすることを可能にする動的バックグラウンドモニタリングが考えられる。セル内の粒子の照射に用いられるレーザ光が、各画素を横断する一定信号も生成し、これをバックグラウンドと称する。バックグラウンドは、試料測定前に測定され、試料測定後に検出器が記録した散乱値から引き去ることによって、バックグラウンドがＰＳＤに影響を及ぼすのを防ぐ。このバックグラウンドが試料測定中に長い時間尺度でばらつくために、バックグラウンドを不正確に引き去ってしまうと予想される。測定中にバックグラウンドをモニタリングすることで、リアルタイムのバックグラウンドを引き去ることができる。測定データから擬似ピークを引き去ることができる場合、バックグラウンドのより正確なモニタリングが可能になる。
【００５７】
特定の例を説明してきたが、これらは限定を行うためのものではなく、当業者であれば、添付請求項にて規定されている本発明の範囲の範疇においてさらなる変形が可能であることが理解されよう。
【図１】
2018059905.tif 000008
【図２】
2018059905.tif 000009
【図３】
2018059905.tif 000010
【図４】
2018059905.tif 000011
【図５】
2018059905.tif 000012
【外国語明細書】
2018059905000001.pdf